(57)【要約】【課題】着用者に快適な肌触りを感じさせることが可能なレインコートを提供する。【解決手段】レインコートは、所定位置に配列された複数の通気孔ユニット１１を有するレインコート本体１０と、通気孔ユニット１１の表面に突出するように配置された複数の出窓２０とを備える。出窓２０は、頂部２１と、頂部２１の両側から下に伸びて形成された両側辺縁部２３と、頂部２１と両側辺縁部２３との間に配置された遮蔽面２２とから構成されることでレインコート本体１０との間に開口部が下向きの中空マスク体２４が形成される。中空マスク体２４は、通気孔ユニット１１の前方を遮蔽する。出窓２０は、可撓性および弾性を有する材料から構成される。これにより、中空マスク体２４の内側とレインコート本体１０の表面との間に空気をスムーズに流動させる通気路が確保される。【選択図】  図５
0003179203.tif 000002
【実用新案登録請求の範囲】
【請求項１】
所定位置に配列された複数の通気孔ユニットを有するレインコート本体と、
前記通気孔ユニットの表面に突出するように配置される複数の出窓と、
を備え、
前記出窓は、頂部と、前記頂部の両側から下に伸びて形成された両側辺縁部と、前記頂部と前記両側辺縁部との間に配置された遮蔽面とから構成されることで前記レインコート本体との間に開口部が下向きの中空マスク体が形成され、
前記中空マスク体は、前記通気孔ユニットの前方を遮蔽するため、雨水が前記通気孔ユニットから前記レインコート本体の内部に浸透せず、
前記出窓は、可撓性および弾性を有する材料から構成され、かつ前記頂部と前記両側辺縁部とを結合させて形成した逆Ｕ字型構造によって前記遮蔽面に支持強度をもたらすため、風および雨からの外力を受ける際、後退、変形して前記通気孔ユニットの表面に付着することなく、前記中空マスク体の内側と前記レインコート本体の表面との間に空気をスムーズに流動させる通気路が確保されることを特徴とするレインコート。
【請求項２】
前記出窓の前記頂部および前記両側辺縁部は、厚さが前記遮蔽面および前記レインコート本体より大きいリブ状体であることを特徴とする請求項１に記載のレインコート。
【請求項３】
前記遮蔽面は、底部に前記両側辺縁部に連結するリブを有し、
前記頂部、前記両側辺縁部および前記遮蔽面の前記リブは、円弧状体を構成し、前記中空マスク体の前記開口部を開放状態に維持することを特徴とする請求項２に記載のレインコート。
【請求項４】
前記レインコート本体は、内側に被覆体を有し、
前記被覆体は、一側が前記通気孔ユニットの上方に連結され、表面および裏面に結合ユニットを有し、
前記被覆体が前記通気孔ユニットの上方に固定されるとき、前記通気孔ユニットの空気の流れを保持でき、
前記被覆体が前記通気孔ユニットの下方に固定されるとき、前記通気孔ユニットに被さり、前記通気孔ユニットを閉じられることを特徴とする請求項１に記載のレインコート。
【考案の詳細な説明】
【技術分野】
【０００１】
本考案は、レインコートに関するものである。
【背景技術】
【０００２】
気候が非常に湿っぽく、梅雨および台風がくる島国では、オートバイや自転車に乗る人および通行人は、雨に襲われないためにレインコートが必要である。レインコートは、雨に襲われることを防止できるが、レインコートの内部に熱と湿気が溜まるため、着用者は、汗が止まらず、レインコートが体に接触し、べたべたすると感じるような事態が発生する。
【０００３】
上述の課題を解決すべく、例えば特許文献１では、図１Ａおよび図１Ｂに示すように、レインコート本体４０の内部に通気層４１を配置することによって通気路Ｓを形成し、かつ通気層４１によって雨水Ｒと着用者の身体Ｂとの接触を遮断している。また、着用者の身体Ｂに生じた熱気をレインコート本体４０の内側に凝縮させ、水蒸気Ｗを生成する。これにより、通気路Ｓによって雨水Ｒおよび水蒸気Ｗが着用者の身体Ｂをべたべたさせたり、蒸し暑く感じさせたりするのを低減している。しかしながら、通気路Ｓは、着用者からの外力によって追い詰められて後退、変形し、通気層４１の表面に付着するため、水蒸気Ｗが拡散しにくくなり、溜まってしまう。そのため、着用者の身体Ｂは、余計にべたべたし、蒸し暑くなる虞がある。
【０００４】
また例えば、特許文献２では、図２Ａおよび図２Ｂに示すように、特殊な通気シール５０でレインコートを製作することにより、通気シール５０上の複数の通気孔５１によって雨水浸透を避け、水蒸気排出機能を果たす。しかしながら、複数の通気孔５１は、保護対策がされなかったため、破損しやすい。通気孔５１が破損すると元の状態に復元することが難しいだけでなく、雨水は破損した複数の通気孔５１を通って着用者の身体を襲ってくるような事態が発生する虞がある。つまり、特許文献２のように、複数の通気孔５１を有するレインコートは価格が安くないだけでなく、保護構造によって保護する対策が何もなかった。
【先行技術文献】
【特許文献】
【０００５】
【特許文献１】台湾特許Ｍ２７３２２７号明細書
【特許文献２】台湾特許Ｍ３１３４３１号明細書
【考案の概要】
【考案が解決しようとする課題】
【０００６】
本考案は、可撓性および弾性を有する材質の複数の出窓を通気孔ユニットの表面に配置し、レインコートと出窓との間に通気路を構成することによって通気路が後退、変形し、通気孔ユニットに付着する現象を防止し、着用者に快適な肌触りを感じさせることが可能なレインコートを提供することを主な目的とする。
【０００７】
本考案は、体積の小さい出窓によって通気孔ユニットを保護し、かつコストを削減し、軽くて携帯に便利なレインコートを提供することをもう一つの目的とする。
【課題を解決するための手段】
【０００８】
上述の目的を達成するために、本考案によるレインコートは、所定位置に配列された複数の通気孔ユニットを有するレインコート本体と、通気孔ユニットの表面に突出するように配置された複数の出窓とを備える。出窓は、頂部と、頂部の両側から下に伸びて形成された両側辺縁部と、頂部と両側辺縁部との間に配置された遮蔽面とから構成されることでレインコート本体との間に開口部が下向きの中空マスク体が形成される。中空マスク体は、通気孔ユニットの前方を遮蔽するため、雨水が通気孔ユニットからレインコート本体内部に浸透しない。出窓は、可撓性および弾性を有する材料から構成され、かつ頂部と両側辺縁部とを結合させて形成した逆Ｕ字型構造によって遮蔽面に支持強度をもたらすため、風および雨からの外力を受ける際、後退、変形して通気孔ユニットの表面に付着することなく、中空マスク体の内側とレインコート本体の表面との間に空気をスムーズに流動させる通気路が確保される。
【０００９】
遮蔽面は、底部に両側辺縁部に連結するリブを有する。頂部、両側辺縁部および遮蔽面のリブは円弧状体を構成し、中空マスク体の開口部を開放状態に維持する。
【００１０】
レインコート本体は、内側に被覆体を有する。被覆体は、一側が通気孔ユニットの上方に連結され、表面および裏面に結合ユニットを有する。被覆体は、結合ユニットによって通気孔ユニットの上方に固定されるとき、通気孔ユニットの流れを保持する。被覆体が通気ユニットの下方向に固定されるとき、通気孔ユニットに被さり、通気孔ユニットを閉じることができる。
【００１１】
上述したとおり、本考案は、可撓性および弾性を有する材質から構成された複数の出窓を通気孔ユニットの表面に配置し、レインコートと出窓との間に通気路を形成し、かつ出窓の中空マスク体によって通気孔ユニットを保護する。これにより、雨が通気孔ユニットを襲い、通気孔ユニットの物理性が破壊される現象を避けることができるだけでなく、通気路が後退、変形して通気孔ユニットに付着する現象を防止できる。従って本考案は、出窓によって通気路の後退および変形を防止し、通気孔ユニットを保護する二重の効果を有する。
【図面の簡単な説明】
【００１２】
【図１Ａ】内部に通気層が配置してある従来のレインコートを示す模式図である。
【図１Ｂ】従来の通気層とレインコート本体との間の通気路を示す断面図である。
【図２Ａ】通気シールを採用した従来のレインコートを示す模式図である。
【図２Ｂ】通気シール上の複数の通気孔を示す模式図である。
【図３】本考案の一実施形態によるワンピースレインコートを示す模式図である。
【図４】本考案の一実施形態によるツーピースレインコートを示す模式図である。
【図５】本考案の一実施形態によるレインコートの出窓を示す模式図である。
【図５Ａ】図５中の５Ａ−５Ａ線に沿った断面図である。
【図５Ｂ】図５中の５Ｂ−５Ｂ線に沿った断面図である。
【図６Ａ】本考案の一実施形態によるレインコートの出窓の支持強度を示す断面図である。
【図６Ｂ】本考案の一実施形態によるレインコートの出窓の支持強度を示す断面図である。
【図７Ａ】本考案の一実施形態によるレインコートの被覆体が上方向にある状態を示す斜視図である。
【図７Ｂ】本考案の一実施形態によるレインコートの被覆体が下方向にある状態を示す斜視図である。
【図８Ａ】本考案の一実施形態によるレインコートの被覆体が上方向にある状態を示す断面図である。
【図８Ｂ】本考案の一実施形態によるレインコートの被覆体が下方向にある状態を示す断面図である。
【図９】本考案の一実施形態によるレインコートの使用状態を示す模式図である。
【考案を実施するための形態】
【００１３】
以下、本考案による通気用出窓を有するレインコートを図面に基づいて説明する。
（一実施形態）
図３から図５Ｂに示すように、本考案の一実施形態による通気用出窓を有するレインコートは、レインコート本体１０および複数の出窓２０を備える。
レインコート本体１０は、所定位置に配列された複数の通気孔ユニット１１を有する。本実施形態において、レインコート本体１０は、図３に示すようにワンピースであってもよいし、図４に示すようにツーピースであってもよい。複数の出窓２０は、通気孔ユニット１１の表面に突起するように配置される。
【００１４】
出窓２０は、頂部２１と、頂部２１の両側から下に伸びて形成された両側辺縁部２３と、頂部２１と両側辺縁部２３との間に配置された遮蔽面２２とから構成されることで、レインコート本体１０との間に開口部が下向きの中空マスク体２４が形成される。中空マスク体２４は、通気孔ユニット１１の前方を遮蔽するため、雨水が通気孔ユニット１１からレインコート本体１０内部に浸透しない。また出窓２０は、可撓性および弾性を有する材料から構成される。
【００１５】
本実施形態において、出窓２０は、軟性プラスチック（ＰＶＣ）、軟性ナイロンおよびポリエチレン（ＰＥ）のいずれか一つまたはその組み合わせたものから構成される。図６Ａおよび図６Ｂに示すように、出窓２０は、頂部２１と両側辺縁部２３とを結合させて形成した逆Ｕ字型構造によって遮蔽面２２に支持強度Ｓをもたらすため、風外力および雨外力を受ける際、後退や変形により遮蔽面２２が通気孔ユニット１１の表面に付着することがない。そのため、中空マスク体２４の内側とレインコート本体１０の表面との間に空気をスムーズに流動させる通気路２５を確保することができる。
【００１６】
図６Ａおよび図６Ｂに示すように、出窓２０の頂部２１および両側辺縁部２３は厚さが遮蔽面２２およびレインコート本体１０より大きいリブ状体であるため、十分な支持強度を有する。一方、遮蔽面２２は、底部に両側辺縁部２３と連結するリブ２２１を有する。出窓２０は、頂部２１、両側辺縁部２３および底部のリブ２２１で円弧状体を構成し、中空マスク体２４の開口部を開放状態に維持することによって、雨水が通気孔ユニット１１内に浸透することを避け、雨水を円弧状体に落下させる。また、出窓２０は、遮蔽面２２の支持強度Ｓを有するので、風Ｗによって遮蔽面２２が通気口ユニット１１側に傾き、通気孔ユニット１１の表面に付着することを防止する。
【００１７】
本実施形態において、出窓２０は体積が非常に小さい。出窓２０の高さおよび幅は、１０ｍｍから２０ｍｍである。遮蔽面２２のレインコート本体１０に突出した厚さは、２ｍｍから５ｍｍである。製作する際、出窓２０とレインコート本体１０とを一体成型してもよいし、先に出窓２０を製作し、そののち出窓２０とレインコート本体１０の表面とを加工して結合させてもよい。出窓２０は突起状を呈するが、レインコート本体１０に突出した厚さが２ｍｍから５ｍｍであり、材質が可撓性および弾性を有するため、通気性が良好である。従って、着用者に不快な感じを与えることなく、快適な肌触りを感じさせることができる。
【００１８】
図７Ａ、図７Ｂ、図８Ａおよび図８Ｂに示すように、レインコート本体１０は、内側かつ通気孔ユニット１１の上方、即ち内側の所定部位に連結位置３１と、高周波方式によって連結位置３１に連結された被覆体３０とを有する。被覆体３０は、一側が通気孔ユニット１１の上方に連結され、かつ表面および裏面に結合ユニット３２ａ、３２ｂを有する。また、結合ユニット３２ａ、３２ｂとレインコート本体１０の内側に上下に配列された結合ユニット１２ａ、１２ｂとが相互に対応して結合するため、図７Ａおよび図８Ａに示すように、被覆体３０が通気孔ユニット１１の上方に固定され、通気孔ユニット１１の流れを保持することができる。また図７Ｂおよび図８Ｂに示すように、被覆体３０が下方向に反転し、通気孔ユニット１１に被さり、通気孔ユニット１１を閉じることもできる。つまり、本実施形態では、着用者の必要に応じ調整することができる。
【００１９】
図９に示すように、レインコート本体１０は、レインコート本体１０の内部に流れ込んだ空気を、出窓２０から構成された通気路２５を経由してレインコート本体１０の外部へ排出し、空気の流れを生成するため、通気効果を果たすことができるだけでなく、着用者にべたべたくっついて蒸し暑い感じをさせることを減らすことができる。
【００２０】
上述したとおり、本実施形態では、漸進方式によって出窓２０の構造を設計する。つまり、頂部２１と両側辺縁部２３とを結合させて形成した逆Ｕ字型構造によって遮蔽面２２に支持強度Ｓをもたらす。一方、頂部２１および両側辺縁部２３は、厚さが遮蔽面２２およびレインコート本体１０より大きいリブ状体であるため、十分な支持強度を有する。続いて、頂部２１、両側辺縁部２３および底部のリブ２２１で円弧状体を構成し、中空マスク体２４の開口部を開放状態に維持することによって出窓２０の構造を強化する。
【００２１】
従って、出窓２０は、構造が強化され、かつ可撓性および弾性を有するため、中空マスク体２４は十分な強度および弾力性を有する。これにより、雨が通気孔ユニット１１を襲い、通気孔ユニット１１の物理性が破壊されるような現象を避けることができるだけでなく、通気路２５が後退、変形して通気孔ユニット１１の表面に付着するような現象を防止することができる。一方、中空マスク体２４の内側とレインコート本体１０の表面との間に、空気をスムーズに流動させる通気路２５が確保されるため、出窓２０は通気路２５の後退および変形を防止し、通気孔ユニット１１を保護する二重の効果を有する。
【符号の説明】
【００２２】
１０・・・レインコート本体
１１・・・通気孔ユニット
１２ａ、１２ｂ・・・結合ユニット
２０・・・出窓
２１・・・頂部
２２・・・遮蔽面
２２１・・リブ
２３・・・両側辺縁部
２４・・・中空マスク体
２５・・・通気路
３０・・・被覆体
３１・・・連結位置
３２ａ、３２ｂ・・・結合ユニット
Ｗ・・・・風
Ｓ・・・・支持強度
【図１Ａ】
0003179203.tif 000003
【図１Ｂ】
0003179203.tif 000004
【図２Ａ】
0003179203.tif 000005
【図２Ｂ】
0003179203.tif 000006
【図３】
0003179203.tif 000007
【図４】
0003179203.tif 000008
【図５】
0003179203.tif 000009
【図５Ａ】
0003179203.tif 000010
【図５Ｂ】
0003179203.tif 000011
【図６Ａ】
0003179203.tif 000012
【図６Ｂ】
0003179203.tif 000013
【図７Ａ】
0003179203.tif 000014
【図７Ｂ】
0003179203.tif 000015
【図８Ａ】
0003179203.tif 000016
【図８Ｂ】
0003179203.tif 000017
【図９】
0003179203.tif 000018